(57)【特許請求の範囲】
【請求項１】
長手方向両側縁を雄、雌型連結部となした断面凹状の表面材１と、前記表面材の凹状部２に充填した芯材３と、前記芯材３の少なくとも裏面を被覆する裏面材４とからなる建築用パネルにおいて、前記表面材の芯材入り雌型連結部５に、雄型連結部上面当接部６およびクリアランス兼樋形成用斜面部７を形成するとともに、前記クリアランス兼樋形成用斜面部７の終端部８を前記雄型連結部上面当接部６に対し、略垂直状に所要長さ折曲して垂直面部９となし、さらに所要のアール面１０を形成して外方に向け略水平状に前記芯材入り雌型連結部５の先端部より長く折曲して釘打用舌片部１１となすとともに、前記釘打用舌片部１１に一対の雄型連結部係止用凸部１２，１２および前記一対の雄型連結部係止用凸部１２，１２間に釘打用凹部１３を形成する一方、芯材入り雄型連結部５′の連結用突出部１４に、前記芯材入り雌型連結部５の雄型連結部上面当接部６に当接する当接受面１５および前記雌型連結部のクリアランス兼樋形成用斜面部７、垂直面部９、釘打用舌片部１１との間に所要のクリアランス１６を形成する上、下部斜面部１７，１８および垂直面部１９ならびに前記釘打用舌片部１１に形成した一対の雄型連結部係止用凸部１２，１２に係合する係合部２０′，２０′を有する凹状部２０を形成したことを特徴とする建築用パネル。
【発明の詳細な説明】
【０００１】
【発明の属する技術分野】
本発明は、耐火、断熱性能を有する建築、構築物その他一般の建築物等にも用いられる建築用パネルであって、特にリフォーム用として好適なものであると同時に新規建築、構築物用としても使用可能な内・外壁材、屋根材、天井材、床材、間仕切り材、防火戸等として使用でき、かつ軽量で、機械的強度、防水性に優れ、しかも安価で、汎用性の高い建築用パネルに関するものである。
【０００２】
【従来の技術】
一般に、耐火、断熱構造用の建築用パネルとして、例えば特開平４−２３７７５６号公報、特開平１０−１３１３４５号公報がある。
【０００３】
【発明が解決しようとする課題】
しかしながら、上記従来技術において前者の場合は、その構造上、高熱下では、表面材、裏面材が熱伝導の相違により加熱側へ引っ張られることにより大きく異る方向へ変形し、この変形により連結部に隙間が生じ、この部分から熱、炎が反対側へ漏れたりする等の問題点があり、また固定具の打設により、打設部分から雨水等が芯材内部に浸入し、芯材を腐食し、さらに内部の躯体までも腐食してしまう惧れがあり、そのため連結部間には、防水パッキング材が不可欠で、この防水パッキング材による施工性の低下、納まりの不具合等の問題点があったとともに表面材、裏面材と芯材との接着強度が弱く、ちょっとした衝撃で表面材、裏面材と芯材の特に端部が剥離してしまう等の問題点があった。
【０００４】
また、後者は上記従来技術における諸々の問題点を解決すべく開発されたのであるが、このものは、上記問題点を解決するため、雄、雌型連結部に略同一形状の耐火材（無機ボード）を形成し、機械的強度、耐火性、係合力を大巾に向上するとともに前記耐火材（無機ボード）に貫通孔を形成し、前記貫通孔より芯材の残留ガスを外部に放出して建築用パネル表面の膨れ、反りを防止して機械的強度、接着強度を向上するようにしたものであるが、上記従来技術における後者の場合は、雄、雌型連結部に別材質の耐火材（無機ボード）を用いるため、部品数が多くなりコスト高となるばかりでなく、該部の構造が複雑となり、その成形（製造）作業も面倒となる等の問題点があった。
【０００５】
しかも上記従来技術の場合は、前、後者いずれも雄、雌型連結部に、施工に際して下地材（壁下地、リフォームの場合は既存壁、間柱、その他）のゆがみ、寸法誤差、あるいはその他の原因によって発生するクリアランス調整機能に対応可能な形状、構成が全くなく、従って新規建築、構築物はもとよりのこと、築年数の多い建築、構築物におけるリフォームの場合には壁、柱のゆがみ等により、建築用パネルを確実に施工することができないという等の問題点があった。
【０００６】
本発明は上記のような諸問題点を解決し、雄、雌型連結部の連結が確実で、しかも施工条件に応じてゆったりとした大きなクリアランス調整巾を有し、リフォーム用ばかりでなく新規建築、構築物用にも使用可能な建築用パネルを提供することを目的とするものである。
【０００７】
【課題を解決するための手段】
本発明は、上記課題を解決することを目的とし、長手方向両側縁を雄、雌型連結部となした断面凹状の表面材と、前記表面材の凹状部に充填した芯材と、前記芯材の少なくとも裏面を被覆する裏面材とからなる建築用パネルにおいて、前記表面材の芯材入り雌型連結部に、雄型連結部上面当接部およびクリアランス兼樋形成用斜面部を形成するとともに、前記クリアランス兼樋形成用斜面部の終端部を前記雄型連結部上面当接部に対し、略垂直状に所要長さ折曲して垂直面部となし、さらに所要のアール面を形成して外方に向け略水平状に前記芯材入り雌型連結部の先端部より長く折曲して釘打用舌片部となすとともに、前記釘打用舌片部に一対の雄型連結部係止用凸部および前記一対の雄型連結部係止用凸部間に釘打用凹部を形成する一方、芯材入り雄型連結部の連結用突出部に、前記芯材入り雌型連結部の雄型連結部上面当接部に当接する当接受面および前記雌型連結部のクリアランス兼樋形成用斜面部、垂直面部、釘打用舌片部との間に所要のクリアランスを形成する上、下部斜面部および垂直面部ならびに前記釘打用舌片部に形成した一対の雄型連結部係止用凸部に係合する係合部を有する凹状部を形成したことを特徴とするものである。
【０００８】
【発明の実施の形態】
以下、本発明に係る建築用パネルの実施例を図１乃至図４を参照して説明する。
図１は本発明に係る建築用パネルの一例を示す断面図、図２は同建築用パネルの雄、雌型連結部の一部拡大断面図、図３は同雄、雌型連結部の連結状態を示す一部拡大断面図、図４は本発明に係る建築用パネルの一部切欠斜視図である。
【０００９】
図１乃至図４において、１は長手方向両側縁を雄、雌型連結部となした断面凹状の表面材、２は前記表面材１の凹状部、３は前記凹状部２に充填した芯材、４は前記芯材３の裏面を被覆する裏面材である。
なお、上記表面材１は、例えば、鋼板、鉄板等の金属板、アルミ、セラミックス板等をロール、プレスで成形したり、あるいは押出成型等により成形したもの等如何なるものでもよく、また芯材３は例えばノボラック型フェノール発泡樹脂、石膏、石綿、その他所要の断熱、防火材で構成されたもの等如何なるものでもよく、また裏面材４はアルミ箔シート、その他防水、不燃処理を施した厚紙等如何なるものでもよい。５は前記表面材１の芯材入り雌型連結部であって、前記芯材入り雌型連結部５に、雄型連結部上面当接部６およびクリアランス兼樋形成用斜面部７を一体に形成するとともに、前記クリアランス兼樋形成用斜面部７の終端部８を前記雄型連結部上面当接部６に対し、略垂直状に所要長さ折曲して垂直面部９となし、さらに所要のアール面１０を形成して外方に向け略水平状に前記芯材入り雌型連結部５の先端部より長く折曲して釘打用舌片部１１となすとともに、前記釘打用舌片部１１に一対の雄型連結部係止用凸部１２，１２および前記一対の雄型連結部係止用凸部１２，１２間に釘打用凹部１３を形成する一方、芯材入り雄型連結部５′の連結用突出部１４に、前記芯材入り雌型連結部５の雄型連結部上面当接部６に当接する当接受面１５および前記雌型連結部のクリアランス兼樋形成用斜面部７、垂直面部９、釘打用舌片部１１との間に所要のクリアランス１６を形成する上、下部斜面部１７，１８および垂直面部１９ならびに前記釘打用舌片部１１に形成した一対の雄型連結部係止用凸部１２，１２に係合する係合部２０′，２０′を有する凹状部２０を形成してなるものである。
【００１０】
なお各図において、２１は前記芯材入り雄型連結部５′の連結用突出部１４における係合部２０′の終端部に設けられた折返し縁部、２２は前記雌型連結部５の釘打用舌片部１１の終端部に設けられた折返し縁部であって、雄、雌連結部を連結した時、前記各折返し縁部２１，２２は略同一水面状に近接状態となる。
【００１１】
図３において２３は雄、雌型連結部を連結した時、連結部表面に形成される溝部である。２４は壁、間柱その他所要の下地材、Ａはパネル本体である。
なお、上記釘打用舌片部１１に形成した一対の雄型連結部係止用凸部１２，１２および芯材入り雄型連結部５′の連結用突出部１４の下面側に形成した係合部２０′，２０′の形状は所期の目的を達成し得るものであれば図示のものに限定されることなく任意である。
【００１２】
次に作用について説明する。施工に際しては、図３示のように下地材２４にパネル本体Ａの芯材入り雌型連結部５の釘打用舌片部１１を釘打ち等により止着し、次に前記芯材入り雌型連結部５に連結すべき次のパネル本体Ａの芯材入り雄型連結部５′の連結用突出部１４を嵌合し、前記連結用突出部１４下面側に形成した係合部２０′，２０′を前記芯材入り雌型連結部５の釘打用舌片部１１に形成した一対の雄型連結部係止用凸部１２，１２に係合することにより、前記芯材入り雄型連結部５′の連結用突出部１４の先端側の当接受面１５を前記芯材入り雌型連結部５の雄型連結部上面当接部６に当接した状態で、しかも前記連結用突出部１４の上、下部斜面部１７，１８および垂直面部１９と、前記芯材入り雌型連結部５のクリアランス兼樋形成用斜面部７、終端部８、垂直面部９、アール面部１０、釘打用舌片部１１の基端側１１′との間に所要のクリアランス１６を形成した状態で両パネル本体Ａ，Ａは連結され、以下同様にして施工を行うものである。
【００１３】
【発明の効果】
本発明によれば、長手方向両側縁を雄、雌型連結部となした断面凹状の表面材と、前記表面材の凹状部に充填した芯材と、前記芯材の少なくとも裏面を被覆する裏面材とからなる建築用パネルにおいて、前記表面材の芯材入り雌型連結部に、雄型連結部上面当接部およびクリアランス兼樋形成用斜面部を形成するとともに、前記クリアランス兼樋形成用斜面部の終端部を前記雄型連結部上面当接部に対し、略垂直状に所要長さ折曲して垂直面部となし、さらに所要のアール面を形成して外方に向け略水平状に前記芯材入り雌型連結部の先端部より長く折曲して釘打用舌片部となすとともに、前記釘打用舌片部に一対の雄型連結部係止用凸部および前記一対の雄型連結部係止用凸部間に釘打用凹部を形成する一方、芯材入り雄型連結部の連結用突出部に、前記芯材入り雌型連結部の雄型連結部上面当接部に当接する当接受面および前記雌型連結部のクリアランス兼樋形成用斜面部、垂直面部、釘打用舌片部との間に所要のクリアランスを形成する上、下部斜面部および垂直面部ならびに前記釘打用舌片部に形成した一対の雄型連結部係止用凸部に係合する係合部を有する凹状部を形成したものであるから、施工に際しては芯材入り雄型連結部の連結用突出部下面に形成した一対の係合部を、芯材入り雌型連結部の釘打用舌片部に形成した一対の雄型連結部係止用凸部に係合することにより、容易に雄、雌型連結部の連結を行えるものであるとともに、前記芯材入り雄型連結部の連結用突出部の先端側の当接受面を前記芯材入り雌型連結部の雄型連結部上面当接部に当接した状態で、しかも前記連結用突出部の上、下部斜面部および垂直面部と、前記芯材入り雌型連結部のクリアランス兼樋形成用斜面部、終端部、垂直面部、アール面部、釘打用舌片部の基端側との間に所要のクリアランスを形成した状態で両パネル本体Ａ，Ａは連結されるので、施工時に下地材（壁下地、リフォームの場合は既存壁、間柱その他）に寸法誤差あるいはその他の原因によってゆがみが生じているようなことがあっても、上記雄、雌型連結部におけるクリアランスを利用してこれを修整することができるので容易にしかも迅速かつ確実に納まりのよい施工を行うことができるものであり、新規建築、構築物はもとよりのこと、特にリフォーム用として好適なものである。
【００１４】
また、本発明における建築用パネルは縦張り、横張りいずれの施工にも用いることが可能であるが、特に縦張りとした場合は、雄、雌型連結部におけるクリアランス部分が樋の作用をなし、雨仕舞がよいものであるばかりでなく、上記雄、雌型連結部における各一対の雄型連結部係止用凸部および係合部は所要間隔を設けて形成してあるので、一旦係合された後は、図３において左、右方向へのズレ動きがなく、また反りなどによる変形力にも強く確実な係合ができるものであるとともに防水パッキング材なども必要なく、部品数も甚だ少く、軽量で、機械的強度、防水性に優れているとともに安価で、しかも汎用性の高いものである等、種々の効果を有するものである。
【図面の簡単な説明】
【図１】本発明に係る建築用パネルの一例を示す断面図である。
【図２】同建築用パネルの雄、雌型連結部の一部拡大断面図である。
【図３】同雄、雌型連結部の連結状態を示す一部拡大断面図である。
【図４】本発明に係る建築用パネルの一部切欠斜視図である。
【符号の説明】
１    断面凹状の表面材
２    凹状部
３    芯材
４    裏面材
５    芯材入り雌型連結部
５′  芯材入り雄型連結部
６    雄型連結部上面当接部
７    クリアランス兼樋形成用斜面部
８    終端部
９    垂直面部
１０    アール面部
１１    釘打用舌片部
１１′  基端側
１２，１２    雄型連結部係止用凸部
１３    釘打用凹部
１４    連結用突出部
１５    当接受面
１６    クリアランス
１７，１８    上、下部斜面部
１９    垂直面部
２０    凹状部
２０′，２０′    係合部
２１，２２    折返し縁部
２３    溝部
２４    下地材
Ａ    パネル本体
【図１】
0004287969.tif 000002
【図２】
0004287969.tif 000003
【図３】
0004287969.tif 000004
【図４】
0004287969.tif 000005